(57)【要約】【課題】  容易に装飾が可能な包装用袋の提供。【解決手段】  物品が入れられる袋体１と、袋体１に設けられるリボン１０およびシール１２とを備える。袋体１は、前後に平行に離間して設けられる長方形の紙片状の前面２および後面３と、この前面２と後面３の両端部を連結する二つの側面４，４と、長方形の底面５とを有し、上方にのみ開口する筒状に構成されている。帯状のリボン１０は、その基端部１０ａが袋体１の底面５中央部に固定されて前面２側へ掛け回され、前面２の幅方向中央部を上下方向に沿って設けられ、その先端部１０ｂが袋体１の開口端部から延出している。シール１２は、略円形とされ、その略半分には、シール１２より大形な長方形状の剥離紙１４が設けられており、残り半分が、袋体１の開口端部にリボン１０を介して袋体１に貼着されている。【選択図】      図１
0003115568.tif 000002
【実用新案登録請求の範囲】
【請求項１】
物品が入れられる袋体と、
この袋体の開口端部から先端部が外方へ延出するよう設けられる帯状のリボンと
を備えることを特徴とする包装用袋。
【請求項２】
一部に剥離紙が設けられ、残部が前記袋体に貼着されたシールを備える
ことを特徴とする請求項１に記載の包装用袋。
【請求項３】
前記袋体は底マチ付きとされ、
前記リボンは、その基端部が袋体の底面に固定されると共に、その背面が袋体の前面に上下方向に沿って重ね合わされて固定されており、
前記シールは、前記リボンより幅広とされ、前記一部としての略半分が袋体の開口端部から外方へ延出した状態で、前記残部としての残り半分がリボンを介して袋体の開口端部に貼着されており、
前記リボンの先端部は、シールからさらに外方へ延出する長さとされている
ことを特徴とする請求項２に記載の包装用袋。
【請求項４】
前記リボンは、その基端部が袋体の開口端部に固定されており、
前記シールは、前記リボンより幅広とされ、前記一部としての略半分が袋体の開口端部から外方へ延出した状態で、前記残部としての残り半分がリボンを介して袋体の開口端部に貼着されており、
前記リボンの先端部は、シールからさらに外方へ延出する長さとされている
ことを特徴とする請求項２に記載の包装用袋。
【請求項５】
前記袋体の後面上端部には、両面テープの一方が貼着されている
ことを特徴とする請求項１から請求項４までのいずれかに記載の包装用袋。
【考案の詳細な説明】
【技術分野】
【０００１】
本考案は、店舗などで商品を包装する際に使用される袋に関するものである。
【背景技術】
【０００２】
顧客が店舗などで商品を購入した場合、店員は、ビニールや紙製の買い物袋に商品を入れて手渡している。そして、贈り物とする場合など顧客の要望により、リボンやシールなどによる装飾を施すことがある。
【考案の開示】
【考案が解決しようとする課題】
【０００３】
しかしながら、忙しい場合や、多数の商品を包装する必要がある場合には、個々の商品にリボンなどの装飾をするのには時間や手間がかかり、人によってリボンの付け方などにばらつきが生じてしまっていた。
【０００４】
本考案は、上記事情に鑑みてなされたものであり、その主たる目的は、容易に装飾が可能な包装用袋を提供することにある。
【課題を解決するための手段】
【０００５】
本考案は、前記課題を解決するためになされたものであり、請求項１に記載の考案は、物品が入れられる袋体と、この袋体の開口端部から先端部が外方へ延出するよう設けられる帯状のリボンとを備えることを特徴とする包装用袋である。
【０００６】
請求項２に記載の考案は、一部に剥離紙が設けられ、残部が前記袋体に貼着されたシールを備えることを特徴とする請求項１に記載の包装用袋である。
【０００７】
請求項３に記載の考案は、前記袋体は底マチ付きとされ、前記リボンは、その基端部が袋体の底面に固定されると共に、その背面が袋体の前面に上下方向に沿って重ね合わされて固定されており、前記シールは、前記リボンより幅広とされ、前記一部としての略半分が袋体の開口端部から外方へ延出した状態で、前記残部としての残り半分がリボンを介して袋体の開口端部に貼着されており、前記リボンの先端部は、シールからさらに外方へ延出する長さとされていることを特徴とする請求項２に記載の包装用袋である。
【０００８】
請求項４に記載の考案は、前記リボンは、その基端部が袋体の開口端部に固定されており、前記シールは、前記リボンより幅広とされ、前記一部としての略半分が袋体の開口端部から外方へ延出した状態で、前記残部としての残り半分がリボンを介して袋体の開口端部に貼着されており、前記リボンの先端部は、シールからさらに外方へ延出する長さとされていることを特徴とする請求項２に記載の包装用袋である。
【０００９】
さらに、請求項５に記載の考案は、前記袋体の後面上端部には、両面テープの一方が貼着されていることを特徴とする請求項１から請求項４までのいずれかに記載の包装用袋である。
【考案の効果】
【００１０】
本考案の包装用袋によれば、包装時に容易に装飾をすることが可能である。
【考案を実施するための最良の形態】
【００１１】
以下、本考案の包装用袋について、実施例に基づき更に詳細に説明する。
【００１２】
図１は、本考案の包装用袋の第一実施例を示す前面側から見た斜視図である。また、図２は、図１の包装用袋を後面側から見た斜視図である。さらに、図３は、図１の包装用袋の使用状態を示す斜視図であり、図４は図３の縦断面図である。
【００１３】
本実施例の包装用袋は、物品が入れられる袋体１と、袋体１に設けられるリボン１０およびシール１２とを主要部に備える。
【００１４】
袋体１は、前後に平行に離間して設けられる長方形の紙片状の前面２および後面３と、この前面２と後面３の両側端部を連結する二つの側面４，４と、長方形の底面５とを有し、上方にのみ開口する筒状に構成されている。すなわち、本実施例の袋体１は、底マチおよび横マチ（脇マチ）を有する断面長方形の袋状とされる。
【００１５】
袋体１の側面４の幅方向中央部には、上下方向に沿って折り目６が形成されていると共に、この折り目６と連続するように、側面４の下端部には、三角形状の折り目７がそれぞれ谷折りで形成されている。これにより、袋体１は、側面４中央部が内側へ折り込まれて前面２と後面３とが近接可能とされる。
ところで、本実施例の袋体１は、紙で形成されているが、ビニールなどでもよく、素材は特に問わない。
【００１６】
袋体１には、帯状のリボン１０が設けられている。
本実施例では、リボン１０は、袋体１の前面２の幅方向中央部に重ね合わされて上下方向に沿って設けられている。具体的には、リボン１０は、その基端部１０ａが袋体１の底面５中央部に固定されて前面２側へ掛け回され、前面２の幅方向中央部を上下方向に沿って設けられ、その先端部１０ｂが袋体１の開口端部から外方へ延出している。リボン１０は、その背面が袋体１に粘着剤により固定されており、本実施例では、両面テープにより袋体１に固定されている。なお、図示例のリボン１０の先端１０ｃは、斜めに切り欠かれている。
【００１７】
また、袋体１には、シール１２が設けられている。
本実施例のシール１２は、略円形とされ、その外周部は波型に形成されており、前記リボン１０より十分幅が広い。シール１２の略半分には、シール１２より大形な長方形状の剥離紙１４が設けられており、残り半分が、袋体１の開口端部に貼着されている。本実施例では、シール１２は、前記リボン１０を介して袋体１に貼着されている。つまり、シール１２は、リボン１０の上から袋体１の前面２上端部中央に貼着されている。また、リボン１０の先端部１０ｂは、シール１２より外方へ延出するよう長さが調整されている。
【００１８】
袋体１の後面３上端部には、両面テープ１６が設けられている。本実施例では、後面３の幅方向に沿って三箇所に両面テープ１６，１６，１６が設けられている。
【００１９】
このような構成の本実施例の包装用袋を使用する場合、まず、品物２０などを袋体１に入れる。そして、図２に示すように、両側面４，４の中央部を内側へ折り込んで前面２と後面３とを近接させて重ね合わせると共に、シール１２の剥離紙１４および両面テープ１６の剥離紙を取り除く。次に、図３に示すように、袋体１の上端部を後面３側に折り返してシール１２を袋体１の後面３にリボン１０を介して接着させる。この際、両面テープ１６も後面３に接着させる。これにより、袋体１の上部開口が塞がれる。
シール１２を袋体１に貼着した状態では、図３および図４に示すように、リボン１０の先端部１０ｂはシール１２から下方へ延出している。
【００２０】
本実施例の包装用袋によれば、予めリボン１０やシール１２が袋体１に設けられていることで、袋体１の上部開口を閉じるだけで装飾が施された包装とすることが可能となる。
これにより、たとえば店舗など顧客が購入した商品などを包装することが容易となり、手間や時間を短縮することができる。しかも、統一のとれた包装とすることができる。
【００２１】
次に、本考案の包装用袋の第二実施例について説明する。
図５は、本考案の包装用袋の第二実施例を示す図であり、（ａ）は正面図、（ｂ）は背面図である。図６は、図５（ａ）のＡ―Ａ断面図である。また、図７は、図５の包装用袋の使用状態を示す図である。
【００２２】
本実施例の包装用袋は、前記第一実施例と同様に、物品が入れられる袋体３０と、この袋体３０に設けられるリボン３５およびシール４０とを主要部に備える。
【００２３】
本実施例の袋体３０は、前後に重ね合わされて設けられる前面３１と後面３２とから構成され、マチ無しの袋状に形成されている。具体的には、本実施例の袋体３０は、長方形状の素材が二つ折りされて前面３１と後面３２が形成され、前記折り返し部が底辺とされて、左右両端辺が接着されることで袋状に構成されている。なお、長方形状の前面３１と後面３２とを重ね合わせた状態で、左右両端辺および底辺を接着して袋状とすることも可能である。また、本実施例の袋体は、図５および図６に示すように、前面３１の上下寸法が、後面３２の上下寸法より大きく、前面３１の上端部は、後面３２の上端部より上方へ延出している。
【００２４】
袋体３０の前面３１には、リボン３５が取り付けられている。
本実施例のリボン３５は、前面３１の幅方向中央部に重ね合わされて上下方向に沿って設けられている。本実施例のリボン３５は、その基端部３５ａがシール４０により袋体に貼着されて固定されており、リボン３５の先端部３５ｂは、袋体３０の開口端部（前面３１の上辺３１ａ）より上方へ延出している。なお、リボン３５は、両面テープなどで前面３１の上端部に貼着し固定しても構わない。
【００２５】
また、本実施例のシール４０は、略円形とされ、前記リボン３５より十分幅が広い。シール４０の略半分には、シール４０より大形な長方形状の剥離紙４２が設けられており、残り半分が袋体３０の開口端部に貼着されている。本実施例では、シール４０は、リボン３５の上方から袋体３０の前面３１上端部中央に貼着されている。
この際、リボン３５の先端部３５ｂは、シール４０より外方へ延出するよう長さが調整されている。また、リボン３５の基端部３５ａは、シール４０に覆われ隠れている。
【００２６】
このような構成の本実施例の包装用袋を使用する場合、まず、商品などを袋体３０に入れる。そして、前面３１の上端部を後面３２側へ折り返す。この際、後面３２の上辺３２ａと同じ高さ位置または若干上方位置で前面３１を折り返せばよい。
【００２７】
次に、シール４０の剥離紙４２を取り除き、図７に示すように、シール４０を後面３２に貼り付ければよい。これにより、袋体３０の上部開口が塞がれる。シール４０を袋体３０に貼着した状態では、図７に示すように、リボン３５の先端部３５ｂは、シール４０から下方へ延出している。
このように、本実施例の包装用袋も、第一実施例と同様に、袋体３０の上部開口を閉じるだけで、装飾が施された包装とすることが可能である。なお、本実施例では、袋体３０の前面３１と後面３２の上下寸法が異なったが、同じ寸法としても構わない。
【００２８】
ところで、本考案の包装用袋は、上記各実施例の構成に限らず、適宜変更可能である。
例えば、上記実施例では、袋体１を底マチおよび横マチ付きとし、袋体３０をマチ無しとしたが、袋体の構成は任意に変更可能である。
【図面の簡単な説明】
【００２９】
【図１】本考案の包装用袋の第一実施例を示す前面側から見た斜視図である。
【図２】図１の包装用袋を後面側から見た斜視図である。
【図３】図１の包装用袋の使用状態を示す斜視図である。
【図４】図３の縦断面図である。
【図５】本考案の包装用袋の第二実施例を示す図であり、（ａ）は正面図、（ｂ）は背面図である。
【図６】図５（ａ）のＡ―Ａ断面図である。
【図７】図５の包装用袋の使用状態を示す図である。
【符号の説明】
【００３０】
１  袋体
１０  リボン
１２  シール
１４  剥離紙
３０  袋体
３５  リボン
４０  シール
４２  剥離紙
【図１】
0003115568.tif 000003
【図２】
0003115568.tif 000004
【図３】
0003115568.tif 000005
【図４】
0003115568.tif 000006
【図５】
0003115568.tif 000007
【図６】
0003115568.tif 000008
【図７】
0003115568.tif 000009